(57)【要約】      （修正有）【課題】  携帯電話器・携帯機器等のストラップにおいて、片手で安全に保持、容易に操作出来、且つ簡単に吊り下げ、取り外しが出来る様にすること。【解決手段】  携帯電話器・携帯機器等の操作部でない背面に適当なサイズの面ファスナー１を接着させ、更に、適当なサイズの面ファスナーの外側面を着脱面としたリング状面ファスナー２とを、通常のストラップ３と組み合わせた。【選択図】図３
0003124591.tif 000002
【実用新案登録請求の範囲】
【請求項１】
携帯電話器・携帯機器等のストラップで、それらの操作部でない背面に面ファスナーを接着し、面ファスナーの外側面を着脱面としたリング状面ファスナーとを組み合わせたことを特徴とするストラップ。
【考案の詳細な説明】
【技術分野】
【０００１】  本考案の内容は携帯電話器・携帯機器等を片手で確実、且つ安全に操作出来る様に工夫した面ファスナー付きストラップの構造に関するものである。
【背景技術】
【０００２】  近来、携帯電話器や携帯機器等の小型化が進み、これらを片手で操作する場合、把握できる部分が少なくなり、押しボタン操作が難しく、落とし易いと言う難点が増加してきた。【０００３】  この点を改善する為、携帯電話器等で、操作部でない背面に指を差し込むことができる掛止保持手段を設けたものもあるが、掛止め位置が固定されており、差し込んだ指を自由な位置に移動することが難しく、操作し難いという欠点があった。
【特許文献１】  特開２００３−１６４３１９
【考案の開示】
【考案が解決しようとする課題】
【０００４】  携帯電話器・携帯機器等の操作部でない背面に、指を差し込むことができる掛止保持手段を設け、より保持し易く・操作し易い位置に回転スライド出来るように工夫した。【０００５】又、携帯電話器・携帯機器等を保持している手の指を即座に自由にすることができ、更に片手で「閉じられた引掛け」に吊り下げ・取り外すことができる様に工夫したものである。
【課題を解決するための手段】
【０００６】  携帯電話器等では、その背面に１枚の面ファスナーを粘着テープ等で接着し、他の一枚の面ファスナーをリング状にして通常のストラップ組み合わせたものとした。【０００７】  リング状面ファスナーに指を差し込み、差し込んだ指の位置を操作し易い位置にリング状面ファスナーを回転させながらスライドさせることが出来る様にした。又、リング状面ファスナーは携帯電話器等に接着した面ファスナーから自由に着脱することが出来るので、簡単に吊り下げ・取り外しもできるものとした。
【考案の効果】
【０００８】  以下、添付図面に従って説明する。
図５又は図６に示す如く、リング状面ファスナーの位置に指を差し込んで自由に回転させスライドさせることが出来るので、片手でより安全に、より容易に、且つ、確実に携帯電話器等を操作することが出来る【０００９】  図７に示す如く、背面のリング状面ファスナーに指を差し込んでいるので、携帯電話器等を手の背に反転させれば、即座に保持している指を自由にすることが出来る。又、手の背に保持している携帯電話器などを反転させれば容易に保持し直すことも出来る。【００１０】  図８に示す如く、リング状面ファスナーを携帯電話器等に接着した面ファスナーから着脱することが出来るので、「閉じられた引掛け」にも片手で容易に吊り下げることが出来、且つ、容易に片手で取り外すことも出来る。【００１１】  図９に示す如く、携帯電話器・携帯機器等を腰バンド等にも容易に吊り下げ、確実に腰バンドに保持出来でので、置忘れ防止にも役立つものとなる。取り外すことも簡単に片手で出来る。【００１２】  図１０に示す如く、カメラ等の背面に携帯電話器等と同様に面ファスナーを適切な位置に接着し、カメラの本来のストラップにリング状面ファスナー装着すれば、カメラ等を安全に確実に操作できる。【００１３】  本考案を家庭のテレビ・ビデオ等の各種リモート操作機器に利用すれば、操作性向上や吊り下げ保管にも大変便利なものとなる。
【考案を実施するための最良の形態】
【００１４】  以下、添付図面に従って説明する。
図１は本考案の面ファスナー付ストラップの図面で、１の面ファスナーは携帯電話などの背面に接着し、２のリング状面ファスナーは外側が着脱面となっているので、１の面ファスナー上を回転スライドさせることができ、自由な位置に止めることが出来る。３は通常のストラップである。【００１５】  図２は面ファスナー１とリング状面ファスナー２の詳細構造図面で、面ファスナー１の裏面に接着剤１１が塗布されている。１１は強力な両面粘着テープでも良い。面ファスナー１は携帯電話器等の形状やサイズに合わせて適当なサイズに切断すれば良い。
２のリング状面ファスナーは指の太さに応じて、リングサイズを選定することが出来る。【００１６】  図３は携帯電話器の背面に本考案の面ファスナー１とリング状面ファスナー２を通常のストラップと組み合わせて、取り付けた状態の図面を示す。
【実施例】
【００１７】通常の携帯電話器では図３の如く取り付ければ有効に利用出来る。折りたたみ型やカメラ内臓タイプ携帯電話器の場合にも、面ファスナー１の大きさと位置を工夫すれば良い。【００１８】  図２のリング状面ファスナー２のリングサイズは指が２本入るサイズが適当であるが、使用者の使い易いサイズに取り替えることが出来る。【００１９】  これらの面ファスナーは１０，０００回程度着脱した後でも、引っ張りせん断強さ及び剥離強さはそれぞれ８．０Ｎ／ｃｍ２（０．８１Ｋｇｆ／ｃｍ２）及び１．２Ｎ／ｃｍ２（０．１２２Ｋｇｆ／ｃｍ２）程度あれば充分で、通常のナイロン製、ポリエステル製の面ファスナーを採用できる。【００２０】  携帯電話器・携帯機器等の形状によりそれぞれの面ファスナー１とリング状面ファスナー２を図４の如く簡単なリング状面ファスナーとして使用することも出来る。
【産業上の利用可能性】
【００２１】  本考案は家庭でのテレビ・ビデオ・空調機等の操作や、工場での多くのリモート機器の操作を安全に確実にすることが出来るので、広範囲に利用できる可能性がある。
【図面の簡単な説明】
【００２２】
【図１】本考案の面ファスナー付きストラップの説明図。
【図２】本考案の面ファスナーとリング状面ファスナーの詳細図面
【図３】本考案の面ファスナー付きストッラプを携帯電話器に装着した図面
【図４】本考案のリング状面ファスナーを携帯電話器・携帯機器等のサイズに合わせて、リング状面ファスナーの形状を簡単にしたものを示す。
【図５】本考案の面ファスナー付きストラップを携帯電話器の背面取り付け、回転させて下部にスライドさせた様子を示す。
【図６】本考案の面ファスナー付きストラップを携帯電話器の背面取り付け、回転させて上部にスライドさせた様子を示す。
【図７】本考案の面ファスナー付きストラップを装着した携帯電話器を手の背に反転させて、手の指を自由にさせた様子を示す。
【図８】本考案の面ファスナー付きストラップを携帯電話器に装着しハンドバックなどの「閉じられた引掛け」に吊るした様子を示す。
【図９】本考案の面ファスナー付きストラップを携帯電話器に装着し腰バンドに吊り下げた様子を示す。
【図１０】本考案の面ファスナーをカメラのストラップと組み合わせ、カメラの背面に取り付けた様子を示す。
【符号の説明】
【００２３】    １．携帯電話器・携帯機器等の背面に接着させる面ファスナー
１１．携帯電話器・携帯機器等の背面に接着させる面ファスナーの塗布接着材（又は両面テープ）
２．リング状面ファスナー
３．通常のストラップ
４．携帯電話器背面部分
５．カメラの背面部分
【図１】
0003124591.tif 000003
【図２】
0003124591.tif 000004
【図３】
0003124591.tif 000005
【図４】
0003124591.tif 000006
【図５】
0003124591.tif 000007
【図６】
0003124591.tif 000008
【図７】
0003124591.tif 000009
【図８】
0003124591.tif 000010
【図９】
0003124591.tif 000011
【図１０】
0003124591.tif 000012